(57)【要約】      （修正有）【課題】各種外径の立上管に対し光ケーブル引込具を、簡単にガタツキなく取り付けることができる光ケーブル引込具用の取付金具を提供する。【解決手段】取付金具２の取付金具本体２０は、正面を方形とした正面板２１を有するとともに背面を開口した箱型に形成される。正面板の上下に、上板２２と下板２３が正面板に対し直角に背面側に向けて設けられ、正面板の左右両側に、左側板２４と右側板２５が正面板に対し直角に背面側に向けて設けられる。左側板と右側板の背面側の端部は、上板と下板の背面側の端部より長く突出して形成され、上板と下板の背面側に三角状凹部２８が設けられ、左側板と右側板には、締付バンドを挿通させるための矩形穴２６が設けられる。【選択図】図１
0003208884.tif 000002
【実用新案登録請求の範囲】
【請求項１】
立設された立上管に、光ケーブルの引き込み用の機器からなる光ケーブル引込具を取り付ける光ケーブル引込具用の取付金具において、
該取付金具の取付金具本体は、正面を方形とした正面板を有するとともに背面を開口した箱型に形成され、
該正面板の上下に、上板と下板が該正面板に対し直角に背面側に向けて設けられ、該正面板の左右両側に、左側板と右側板が該正面板に対し直角に背面側に向けて設けられ、
該左側板と右側板の背面側の端部は、該上板と下板の背面側の端部より長く突出して形成され、
該上板と該下板の背面側に三角状凹部が設けられ、該左側板と該右側板には、金属バンドを挿通させるための矩形穴が設けられ、
該正面板に、該機器を保持する保持用リブが突設されるとともに、複数のねじ孔が設けられたことを特徴とする光ケーブル引込具用の取付金具。
【請求項２】
前記上板、下板、左側板、及び右側板は、前記正面板から背面側に直角に曲折されて形成されたことを特徴とする請求項１記載の光ケーブル引込具用の取付金具。
【請求項３】
前記保持用リブは、前記正面板の一部を正面側に切り起こして形成されたことを特徴とする請求項１記載の光ケーブル引込具用の取付金具。
【考案の詳細な説明】
【技術分野】
【０００１】
本考案は、光ケーブルを各住宅などに分配して引き込みを行う際、立設された立上管に、小型光キャビネットや配線クリートなどを取り付けるために使用する光ケーブル引込具用の取付金具に関する。
【背景技術】
【０００２】
電柱に架設された光ケーブルを、各住宅などに分配して引き込む場合、通常、電柱の上部或いは下部に設置された引込分配器具を通して、各住宅などに分配される（例えば下記特許文献１を参照）。この光ケーブル用の引込分配具は、電柱の上部または下部に、専用の取付金具により取り付けられるが、電柱用の取付金具は、構造が複雑化し且つ大型化する課題があった。
【０００３】
一方、光ケーブルが地下の共同溝などに敷設され、そこから各住宅などに光ケーブルを分配する場合、道路脇などに立設された立上管から光ケーブルが引き出され、立上管に固定した小型光キャビネット、保安器、配線クリートなどの光ケーブル引込具を通して、光ケーブルは各住宅などに分配され、引き込まれる。
【先行技術文献】
【特許文献】
【０００４】
【特許文献１】特開平１１−１０９１９８号公報
【考案の概要】
【考案が解決しようとする課題】
【０００５】
光ケーブルの引込分配用の立上管には、各種外径寸法のパイプが使用されており、通常、各種外径の立上管に対し、小型光キャビネット、保安器、配線クリートなどの光ケーブル引込具を、簡単な金属バンドなどで用いて、締め付け固定している。このため、立上管の外径によっては、金属バンドと光ケーブル引込具の大きさや形状が合わず、そのために、取付強度が弱くなり、光ケーブル引込具の取り付け状態にガタツキが生じやすくなっていた。
【０００６】
本考案は、上述の課題を解決するものであり、各種外径の立上管に対し光ケーブル引込具を、簡単にガタツキなく取り付けることができる光ケーブル引込具用の取付金具を提供することを目的とする。
【課題を解決するための手段】
【０００７】
本考案に係る光ケーブル引込具用の取付金具は、立設された立上管に、光ケーブルの引き込み用の機器からなる光ケーブル引込具を取り付ける光ケーブル引込具用の取付金具において、
該取付金具の取付金具本体は、正面を方形とした正面板を有するとともに背面を開口した箱型に形成され、
該正面板の上下に、上板と下板が該正面板に対し直角に背面側に向けて設けられ、該正面板の左右両側に、左側板と右側板が該正面板に対し直角に背面側に向けて設けられ、
該左側板と右側板の背面側の端部は、該上板と下板の背面側の端部より長く突出して形成され、
該上板と該下板の背面側に三角状凹部が設けられ、該左側板と該右側板には、締付バンドを挿通させるための矩形穴が設けられ、
該正面板に、該機器を保持する保持用リブが突設されるとともに、複数のねじ孔が設けられたことを特徴とする。
【０００８】
この光ケーブル引込具用の取付金具によれば、異なった外径の複数種の立上管に対し、取付金具の上板、下板、左側板、及び右側板の縁部を、安定して合せることができ、締付バンドにより取付金具を立上管に締め付けて、ガタツキなく取り付けることができる。
【０００９】
ここで、上記上板、下板、左側板、及び右側板は、上記正面板から背面側に直角に曲折されて形成することができる。これによれば、箱型の取付金具本体を、金属板の曲げ加工により、容易に製造することができる。
【００１０】
またここで、上記保持用リブは、上記正面板の一部を正面側に切り起こして形成することができる。これによれば、保持用リブをプレス加工のみで簡単に製造することができる。
【考案の効果】
【００１１】
この考案の光ケーブル引込具用の取付金具によれば、各種外径の立上管に対し、光ケーブル引込具を、簡単にガタツキなく取り付けることができる。
【図面の簡単な説明】
【００１２】
【図１】本考案の一実施形態を示す光ケーブル引込具用の取付金具の正面図である。
【図２】同取付金具の右側面図である。
【図３】同取付金具の底面図である。
【図４】（ａ）は同取付金具の第１実施形態を示す正面図、（ｂ）はその右側面図である。
【図５】（ａ）は同取付金具の第２実施形態を示す正面図、（ｂ）はその右側面図である。
【図６】（ａ）は同取付金具の第３実施形態を示す正面図、（ｂ）はその右側面図である。
【図７】各種外径の立上管に取付金具を使用した場合の説明底面図である。
【図８】（ａ）は同取付金具の第４実施形態を示す正面図、（ｂ）はその右側面図である。
【考案を実施するための形態】
【００１３】
以下、本考案の一実施形態を図面に基づいて説明する。この光ケーブル引込具用の取付金具は、立設された立上管９に、光ケーブルの引き込み用の機器からなる光ケーブル引込具を取り付ける光ケーブル引込具用の取付金具である。
【００１４】
図１〜図３に示すように、取付金具２は、取付金具本体２０を主要部として構成され、取付金具本体２０は、直方体形状の箱型に形成され、その正面を方形とした正面板２１を有し、背面側を開口して形成される。
【００１５】
正面板２１の上下に、上板２２と下板２３が正面板２１に対し直角に背面側に向けて設けられ、正面板２１の左右両側に、左側板２４と右側板２５が正面板２１に対し直角に背面側に向けて設けられる。左側板２４と右側板２５の背面側の端部は、上板２２と下板２３の背面側の端部より長く突出して形成される。さらに、例えば外径７５ｍｍの立上管９を取付金具本体２０の背面に合せたとき、図７に示す如く、立上管９の一部が左側板２４と右側板２５の背面側の端部間に進入し保持されるように、左側板２４と右側板２５の幅寸法が形成される。
【００１６】
また、図１、３に示すように、上板２２と下板２３の背面側に三角状凹部２８が設けられ、左側板２４と右側板２５には、各々、締付バンド４を挿通させるための矩形穴２６が２個づつ設けられる。上下の三角状凹部２８は、図７に示すように、例えば外径２５ｍｍまたは外径５０ｍｍの立上管９を凹部内に合せた場合、凹部内に立上管９の一部が進入し保持される形状と大きさに形成される。
【００１７】
なお、締付バンド４には、ステンレスなどからなる金属バンドを使用することが好ましいが、他の部材を用いたバンドであってもよく、バンドには締付具が設けられる。取付金具本体２０の中間部両側の２箇所には、各々、水平横方向に挿通させるように、締付バンド用の矩形穴２６が形成され、締付バンド４は、それらの２箇所の矩形穴２６に挿通され、立上管９との間で取付金具２を締付固定する。
【００１８】
取付金具本体２０は、製造時、鋼板などの金属板をプレス加工して製造され、金属板は、先ず所定の形状に裁断され、上板２２、下板２３、左側板２４、及び右側板２５が、正面板２１から背面側に直角に曲折されて形成される。このように、箱型の取付金具本体２０は、金属板のプレス加工、曲げ加工により、容易に且つ安価に製造することができる。
【００１９】
取付金具本体２０の正面板２１には、図１〜図３に示すように、配線クリート３を保持するために、複数の保持用リブ２７が正面側に突出して形成される。この保持用リブ２７は、保持する配線クリート３の大きさ、形状に合せて、３個の保持用リブ２７が、配線クリート３の上部と下部を挟むように保持する位置に突設される。保持用リブ２７は、金属板の切り起しにより形成することができるため、取付金具本体２０のプレス加工時、所定位置に簡単に形成することができる。
【００２０】
さらに、正面板２１には、中央近傍の配線クリート取付位置に、ねじ孔１７が設けられる。配線クリート３の中央近傍に、固定用の固定孔が設けられているので、固定ねじをその固定孔に挿通させ、固定ねじの先端部をねじ孔１７に螺合させて、配線クリート３を容易に固定できる。また、配線クリート３は、３箇所の保持用リブ２７により上下から挟まれるように保持されるので、１本の固定ねじをねじ込んで配線クリート３を取付金具２に対し固定する際、配線クリート３の姿勢を回さずに、適正状態で固定することできる。
【００２１】
さらに、正面板２１の下部に、２個のねじ孔１８が、小型光キャビネット５、小型コネクタキャビネット７、或いは延長金具８を取り付けるために、設けられる。２個のねじ孔１８の位置と間隔は、小型光キャビネット５、小型コネクタキャビネット７、或いは延長金具８に設けた固定孔に対応した位置に合せて設けられる。
【００２２】
次に、上記構成の取付金具２の使用態様を説明する。取付金具２は、道路脇などに立設された立上管９に、光ケーブルの引き込み用の機器からなる光ケーブル引込具（例えば小型光キャビネット、小型コネクタキャビネット、配線クリートなど）を取り付ける際、使用される。
【００２３】
図４の第１実施形態に示すように、立上管９の上部に、光ケーブルを相互に接続し敷設する小型光キャビネット５が、取付金具２を用いて取り付けられる。なお、立上管９の上部には、カップを伏せた形状のターミナルボックス６が取り付けられている。
【００２４】
先ず、取付金具２が小型光キャビネット５の背面部に固定ねじ３０を用いて固定される。固定ねじ３０は、小型光キャビネット５の内側の固定孔から挿通されて取付金具２の正面のねじ孔１７，１８にねじ込まれ、取付金具２が小型光キャビネット５の背面部に締付固定される。
【００２５】
その状態で、取付金具２の背面部が立上管９の上部に合せられ、取り付けられる。このとき、立上管９の外径が例えば５０ｍｍの場合、図７に示すように、立上管９の一部が取付金具２の三角状凹部２８内に入り且つ取付金具２の左側板２４と右側板２５の内側に入って取付金具２が保持される。この状態で、２本の締付バンド４が取付金具２の矩形穴２６に挿通され、且つ立上管９の外周部を締付バンド４が通され、取付金具２が立上管９に対し締め付けられる。これにより、図４に示す如く、立上管９の上部に小型光キャビネット５が取付金具２を介して固定される。
【００２６】
このように、取付金具２は、その背面部が立上管９の上部の外周に合せて取り付けられ、２本の締付バンド４により立上管９に対し締付固定されるので、簡単な作業で、ガタツキなく、小型光キャビネット５を立上管９の上部に取り付けることができる。
【００２７】
さらに、小型光キャビネット５の下方の立上管９に、配線クリート３が取付金具２を介して取り付けられる。この場合、先ず、配線クリート３が、取付金具２の正面板２１上に、固定ねじ３０を用いて固定される。配線クリート３は、図１に示すように、正面板２１に突設した３個の保持用リブ２７の間に合せて配置され、固定ねじ３０を配線クリート３の固定孔に挿通し、その先端を正面板２１のねじ孔１７にねじ込んで、固定される。これにより、配線クリート３を取付金具２の正面の定位置に、簡単にガタツキなく固定することができる。
【００２８】
この状態で、取付金具２の背面部が立上管９の外周部に合せられ、２本の締付バンド４が、取付金具２の矩形穴２６に挿通され、立上管９の外周部を通して締め付けられる。これにより、図４に示す如く、立上管９の外周に配線クリート３が取付金具２を介して固定される。この配線クリート３も、上記と同様に、立上管９の上部に取付金具２を介して、簡単な作業でガタツキなく取り付けることができる。
【００２９】
なお、取付金具２は、先ず、立上管９の上部に、取付金具２を締付バンド４により固定し、その状態で、取付金具２の正面板２１上に配線クリート３を、固定ねじ３０を用いて固定することもできる。
【００３０】
立上管９内を通して地下から引き出された光ケーブルは、立上管９の上部開口から引き出され、小型光キャビネット５に進入して引き出される光ケーブルと接続される。小型光キャビネット５から引き出された光ケーブルは、下側の配線クリート３に入って押えられ、その後、住宅などに引き込まれる。
【００３１】
一方、図５の第２実施形態に示すように、小型コネクタキャビネット７も、上記と同様に、立上管９の上部に、取付金具２を用いて取り付けられる。
【００３２】
先ず、取付金具２が小型コネクタキャビネット７の背面部に固定ねじ３０を用いて固定される。固定ねじ３０は、小型コネクタキャビネット７の内側の固定孔から挿通されて取付金具２の正面のねじ孔１７，１８にねじ込まれ、取付金具２が小型コネクタキャビネット７の背面部に締付固定される。
【００３３】
その状態で、取付金具２の背面部が立上管９の上部に合せられ、取り付けられる。このとき、立上管９の外径が例えば５０ｍｍの場合、図７に示すように、立上管９の一部が、取付金具２の三角状凹部２８内に入り且つ取付金具２の左側板２４と右側板２５の内側に入って取付金具２が保持され、左側板２４と右側板２５のエッジが図７に示すように立上管９の外周に当接される。これにより、取付金具２は立上管９の外周部にガタツキなく適正に合せられ装着される。
【００３４】
この状態で、２本の締付バンド４が取付金具２の矩形穴２６に挿通され、且つ立上管９の外周部を締付バンド４が通され、取付金具２が立上管９に対し締め付けられる。これにより、図５に示す如く、立上管９の上部に小型コネクタキャビネット７が取付金具２を介して確実に固定される。
【００３５】
このように、取付金具２は、その背面部が立上管９の上部の外周に合せて取り付けられ、２本の締付バンド４により立上管９に対し締付固定されるので、簡単な作業で、ガタツキなく、小型コネクタキャビネット７を立上管９の上部に取り付けることができる。
【００３６】
さらに、小型コネクタキャビネット７の下方の立上管９に、配線クリート３が取付金具２を介して取り付けられる。この場合、上記と同様、先ず、配線クリート３が、取付金具２の正面板２１上に、固定ねじ３０を用いて固定される。配線クリート３は、図１に示すように、正面板２１に突設した３個の保持用リブ２７の間に合せて配置され、固定ねじ３０を配線クリート３の固定孔に挿通し、その先端を正面板２１のねじ孔１７にねじ込んで、固定される。これにより、配線クリート３を取付金具２の正面の定位置に、簡単にガタツキなく固定することができる。
【００３７】
一方、図６の第３実施形態に示すように、立上管９の上方位置に、延長金具８を介して上記小型光キャビネット５を取り付けることもできる。この場合、縦長形状の延長金具８は、取付金具２を介して立上管９の上方に取り付けられる。
【００３８】
延長金具８を取り付ける場合、先ず、立上管９の上部に、取付金具２を締付バンド４により固定し、その状態で、取付金具２の正面板２１に対し延長金具８の下部を定位置に当接させ、固定ねじ３０をねじ孔１７，１８にねじ込み固定する。次に、延長金具８の上端部に小型光キャビネット５を固定ねじなどを用いて取り付けることとなる。このように、立上管９の上部に延長金具８を取付金具２を用いて取り付け、延長金具８の上端部に小型光キャビネット５を固定することもできる。
【００３９】
なお、図６に示す如く、延長金具８には、小型光キャビネット５の下方に、配線クリート３が固定され、その下側に光ケーブル保護ガイド８ａが取り付けられる。立上管９から上方に引き出された光ケーブルは、光ケーブル保護ガイド８ａを通して上方に敷設されるとともに、配線クリート３により定位置に押えられ、その状態で小型光キャビネット５内に入り引出側の光ケーブルに接続されることとなる。
【００４０】
また、図８の第４実施形態に示すように、取付金具２は壁面に取り付けることもできる。この実施形態では、取付金具２の正面板２１の中央近傍の両側に、さらに皿穴１９が固定ねじ３０を挿入可能に設けられる。取付金具２は、この皿穴１９に固定ねじ３０を挿入し、固定ねじ３０の先端部を壁面にねじ込んだ、取付金具２が壁面に固定される。そして、壁面に固定された取付金具２の正面板２１に、配線クリート３が上記と同様に、ねじ孔１７に固定ねじ３０をねじ込み、固定される。このように、取付金具２は、壁面に固定することもでき、その取付金具２を介して配線クリート３を壁面に取り付けることもできる。
【符号の説明】
【００４１】
２      取付金具
３      配線クリート
４      締付バンド
５      小型光キャビネット
６      ターミナルボックス
７      小型コネクタキャビネット
８      延長金具
８ａ    光ケーブル保護ガイド
９      立上管
１７    ねじ孔
１８    ねじ孔
１９    皿穴
２０    取付金具本体
２１    正面板
２２    上板
２３    下板
２４    左側板
２５    右側板
２６    矩形穴
２７    保持用リブ
２８    三角状凹部
【図１】
0003208884.tif 000003
【図２】
0003208884.tif 000004
【図３】
0003208884.tif 000005
【図４】
0003208884.tif 000006
【図５】
0003208884.tif 000007
【図６】
0003208884.tif 000008
【図７】
0003208884.tif 000009
【図８】
0003208884.tif 000010